(57)【要約】【課題】目地溝を低コストで容易かつ確実にシールする。【解決手段】外壁パネル１の開口部１１周縁の建具枠２と、建具枠２に近接したタイルパネル３との間の目地溝Ｍが目地シール材４によりシールされている。建具枠２はサッシ枠２０とケーシング２１とからなる。目地シール材４は突出部４３１，４３２でタイルパネル３に当接し、側板４２でケーシング２１に当接している。目地シール材４の底部４５は、側板４２よりもタイルパネル３側に設けられた固定部４５０で防水テープ１３を介して外壁パネル１の表面に固定され、固定部４５０よりも建具枠２側の部位で外壁パネル１から離間している。固定部４５０と外壁パネル１との間から延出した防水テープ１３の端部は固定部４５０とサッシ枠２０との間で外壁パネル１から離間して建具枠２まで延在し、サッシ枠２０とケーシング２１との間に貼り付けられている。【選択図】  図２
2004169359.tif 000002
【特許請求の範囲】
【請求項１】
建物の壁体に設けられた開口部周縁の建具枠と、この建具枠に近接して前記壁体に貼り付けられた外装材との間に形成される目地溝が目地シール材によってシールされた目地シール構造であって、
前記建具枠は、前記開口部に固定された第一建具枠と、前記第一建具枠に固定されこの第一建具枠を屋外側から覆った第二建具枠とからなり、
前記目地シール材は一方の側部で前記外装材に当接するとともに他方の側部で前記第二建具枠に当接し、
この目地シール材の底部は、前記他方の側部よりも前記外装材側に設けられた固定部で防水テープを介して前記壁体の表面に固定されるとともに、この固定部よりも前記建具枠側の部位において前記壁体から離間しており、
前記固定部と前記壁体との間から前記建具枠側に延出した前記防水テープの端部は、前記固定部と前記第一建具枠との間で前記壁体の表面から離間して前記建具枠まで延在し、前記第一建具枠と前記第二建具枠との間に貼り付けられていることを特徴とする目地シール構造。
【請求項２】
請求項１記載の目地シール構造において、
前記他方の側部は、前記第二建具枠に固定されていることを特徴とする目地シール構造。
【請求項３】
請求項１または２記載の目地シール構造において、
前記底部は、前記固定部の前記建具枠側の端部で鈍角に折曲されることによりこの端部よりも前記建具枠側の部位で前記壁体から離間していることを特徴とする目地シール構造。
【請求項４】
請求項１〜３の何れか一項に記載の目地シール構造において、
前記防水テープは、前記目地シール材の前記固定部と前記第一建具枠との間で弛緩していることを特徴とする目地シール構造。
【請求項５】
請求項１〜４の何れか一項に記載の目地シール構造において、
前記目地シール材の前記一方の側部は、前記外装材に当接した少なくとも２つの当接部を有し、これら２つの当接部と前記一方の側部と前記外装材とによって囲まれる空間には、所定の流動性および粘性を有するシーリング材が充填されていることを特徴とする目地シール構造。
【発明の詳細な説明】
【０００１】
【発明の属する技術分野】
本発明は、建物の壁体に設けられる外装材と建具枠との間の目地溝がシールされた目地シール構造に関する。
【０００２】
【背景の技術】
建物の壁体に設けられた建具枠と外装材との間の目地溝が乾式の目地シール材によってシールされた目地シール構造として、図５に示すような構造がある。なお、図５においては、下側に壁体が図示されており、この壁体の左側に開口部（図示せず）が設けられている。
【０００３】
この図に示すように、建具枠１００は、開口部に固定されたサッシ枠１０１と、サッシ枠１０１の屋外側を覆うケーシング１０２とからなる。壁体１０３の表面には防水テープ１０４が貼り付けられ、その端部はサッシ枠１０１とケーシング１０２との間に延出している。壁体１０３の表面には、防水テープ１０４と胴縁１０５とを介して外装材１０６が固定され、この外装材１０６と建具枠１００との間で目地シール材１０７が固定されている。目地シール材１０７は、壁体１０３に固定された板状の固定片１０８と、建具枠１００の側面及び外装材１０６の側面に当接して目地溝をシールした断面視略矩形状のシール材本体１０９とで断面視略Ｔ字状をなしている。固定片１０８は、シール材本体１０９を壁体１０３の表面に安定して固定すべく、壁体１０３の表面に沿ってシール材本体１０９の両側部よりも建具枠１００の側と外装材１０６の側とに突出した状態となっている。
【０００４】
この目地シール構造を形成すべく目地シール材１０７を壁体１０３に固定するには、まず、開口部にサッシ枠１０１を固定し、防水テープ１０４を介して壁体１０３の表面に胴縁１０５を固定する。また、防水テープ１０４の建具枠１００側の端部をサッシ枠１０１の表面に延出させて貼り付けた後、サッシ枠１０１にケーシング１０２を固定する。そして、シール材本体１０９の建具枠１００側の側部をケーシング１０２に当接させた状態で、防水テープ１０４を介して壁体１０３の表面に目地シール材１０７を固定する。
【０００５】
なお、上記従来技術の内容については、発明者などによって公然と実施されていたものの、特許出願などによる開示はされていなかった。
【０００６】
【発明が解決しようとする課題】
ところで、上記目地シール構造においては、防水テープ１０４の使用量を抑えるべく、固定片１０８からサッシ枠１０１まで延在する防水テープ１０４の中途部分１０４ａを壁体１０３の表面から離間させてなるべく弛緩させずに設け、その長さを少なくすることが望まれている。
しかしながら、防水テープ１０４の中途部分１０４ａを緊張させ過ぎた場合、固定片１０８が壁体１０３の表面に沿ってシール材本体１０９の側部よりもサッシ枠１０１側に突出しているため、固定片１０８の端部によって防水テープ１０４が切断されたり、防水テープ１０４の中途部分１０４ａによって固定片１０８が壁体１０３の表面から引き離される結果、目地シール材１０７が外装材１０６側に傾いてケーシング１０２から離間したりするおそれがある。そのため、防水テープ１０４を設ける作業や目地シール材１０７を固定する作業に手間がかかっていた。
【０００７】
本発明の課題は、目地溝を低コストで容易かつ確実にシールすることができる目地シール構造を提供することである。
【０００８】
【課題を解決するための手段】
以上の課題を解決するため、請求項１記載の発明は、例えば図１〜図４に示すように、建物の壁体（例えば、外壁パネル１）に設けられた開口部１１周縁の建具枠２と、この建具枠２に近接して前記壁体１に貼り付けられた外装材（例えば、タイルパネル３）との間に形成される目地溝Ｍが目地シール材４によってシールされた目地シール構造であって、
前記建具枠２は、前記開口部１１に固定された第一建具枠（例えば、サッシ枠２０）と、前記第一建具枠２０に固定されこの第一建具枠２０を屋外側から覆った第二建具枠（例えば、ケーシング２１）とからなり、
前記目地シール材４は一方の側部で前記外装材３に当接するとともに他方の側部（例えば、側板４２）で前記第二建具枠２１に当接し、
この目地シール材４の底部４５は、前記他方の側部４２よりも前記外装材３側に設けられた固定部４５０で防水テープ１３を介して前記壁体１の表面に固定されるとともに、この固定部４５０よりも前記建具枠２側の部位において前記壁体１から離間しており、
前記固定部４５０と前記壁体１との間から前記建具枠２側に延出した前記防水テープ１３の端部は、前記固定部４５０と前記第一建具枠２０との間で前記壁体１の表面から離間して前記建具枠２まで延在し、前記第一建具枠２０と前記第二建具枠２１との間に貼り付けられていることを特徴とする。
【０００９】
請求項１記載の発明によれば、目地シール材４の底部４５は固定部４５０において防水テープ１３を介して前記他方の側部４２よりも外装材３側で壁体１に固定されるとともにこの固定部４５０よりも建具枠２側の部位において壁体１から離間しているので、目地シール材４の固定部４５０と第一建具枠２０との間に延在する部分の防水テープ１３（以下、防水テープの中途部分１３０とする）を緊張させ壁体１の表面から離間して設けた場合であっても、この中途部分１３０が底部４５によって干渉され難くなっている。従って、底部４５と壁体１との間の部分の防水テープ１３が防水テープ１３の中途部分１３０により引っ張られて壁体１の表面から離間した場合であっても、底部４５が壁体１の表面から引き離され、目地シール材４が外装材３側に傾いて前記他方の側部４２が第二建具枠２１から離間してしまうことが防がれるため、目地シール材４によって目地溝Ｍを確実にシールすることができる。また、目地溝Ｍをシールするにあたり防水テープ１３を壁体１の表面と第一建具枠２０の表面とに設けた後に目地シール材４を壁体１の表面に設ける際に、従来と異なり目地シール材１０７の固定片１０８における建具枠側の端部によって防水テープ１０４を切断してしまうことを防止することができる。
以上のように、防水テープ１３の中途部分１３０を緊張させて設けた場合であっても、目地シール材４を外装材３側に傾けたり防水テープ１３を切断したりすることなく目地シール材４を固定することができるため、防水テープ１３の使用量を抑えて低コストで目地溝Ｍをシールできるとともに、防水テープ１３を設ける作業や目地シール材４を固定する作業に手間をかけることなく、容易かつ確実に目地溝Ｍをシールすることができる。
【００１０】
請求項２記載の発明は、例えば図１〜図４に示すように、請求項１記載の目地シール構造において、
前記他方の側部４２は、前記第二建具枠２１に固定されていることを特徴とする。
【００１１】
請求項２記載の発明によれば、目地シール材４は、壁体１に固定された固定部４５０と、第二建具枠２１に固定された前記他方の側部４２とによって目地溝Ｍに確実に固定された状態となっている。つまり、固定部４５０を壁体１に固定するとともに前記他方の側部４２を第二建具枠２１に固定することにより、目地シール材４が目地溝Ｍに確実に固定された状態となる。従って、このように目地シール材４を目地溝Ｍに固定することにより、目地溝Ｍを確実にシールすることができる。
【００１２】
請求項３記載の発明は、例えば図１〜図４に示すように、請求項１または２記載の目地シール構造において、
前記底部４５は、前記固定部４５０の前記建具枠２側の端部で鈍角に折曲されることによりこの端部よりも前記建具枠２側の部位で前記壁体１から離間していることを特徴とする。
【００１３】
請求項３記載の発明によれば、底部４５は固定部４５０の建具枠２側の端部で鈍角に折曲されることによりこの端部よりも建具枠２側の部位で壁体１から離間しているので、防水テープ１３の中途部分１３０を緊張させて設けた場合であっても、目地溝Ｍをシールするにあたり防水テープ１３を壁体１の表面と第一建具枠２０の表面とに設けた後に目地シール材４を壁体１の表面に設ける際に、目地シール材４の底部４５によって防水テープ１３を切断してしまうことを確実に防止することができる。
【００１４】
請求項４記載の発明は、例えば図１〜図４に示すように、請求項１〜３の何れか一項に記載の目地シール構造において、
前記防水テープ１３は、前記目地シール材４の前記固定部４５０と前記第一建具枠２０との間で弛緩していることを特徴とする。
【００１５】
請求項４記載の発明によれば、防水テープ１３は目地シール材４の固定部４５０と第一建具枠２０との間で弛緩しているので、底部４５と壁体１との間の部分の防水テープ１３が防水テープ１３の中途部分１３０により引っ張られることがない。従って、防水テープ１３によって底部４５が壁体１の表面から引き離され、目地シール材４が外装材３側に傾いて前記他方の側部４２が第二建具枠２１から離間してしまうことがないため、目地溝Ｍを確実にシールすることができる。
【００１６】
請求項５記載の発明は、例えば図１〜図４に示すように、請求項１〜４の何れか一項に記載の目地シール構造において、
前記目地シール材４の前記一方の側部は、前記外装材３に当接した少なくとも２つの当接部（例えば、突出部４３１，４３２）を有し、これら２つの当接部４３１，４３２と前記一方の側部と前記外装材３とによって囲まれる空間には、所定の流動性および粘性を有するシーリング材４７が充填されていることを特徴とする。
【００１７】
請求項５記載の発明によれば、目地シール材４の当接部４３１，４３２と前記一方の側部と外装材３とによって囲まれる空間にシーリング材４７が充填されるため、目地溝Ｍをより確実にシールすることができる。
【００１８】
【発明の実施の形態】
以下、図面を参照して、本発明に係る目地シール構造について詳細に説明する。
本実施の形態における目地シール構造は、パネル工法によって構築される住宅に適用されたものである。なお、パネル工法とは、縦横の框材を矩形枠状に組み立てるとともにその矩形枠内部に縦横の棧材を組みつけて構成された枠体とこの枠体の表裏面に設けられた面材とからなる木製パネルを予め作成しておき、建築現場においてこれら木製パネルを組み合わせて床、壁、屋根などを構築することにより建築現場での施工作業を省力化する工法である。上記のような木製パネルとしては、例えば外壁パネルや内壁パネル、床パネル、小屋パネル、屋根パネルなどがある。
【００１９】
図１に、本発明に係る目地シール構造が適用された外壁パネル１を示す。
本実施の形態における目地シール構造においては、図１に示すように、外壁パネル１に設けられた開口部１１周縁の建具枠２と、この建具枠２に近接して外壁パネル１の表面に貼り付けられたタイルパネル３との間に形成される目地溝Ｍが目地シール材４によってシールされている。
【００２０】
この目地シール構造の断面図を図２に示す。なお、図２においては、外壁パネル１における図示しない左側の部位に開口部１１が設けられている。
この図に示されるように、外壁パネル１の表面には、開口部１１を露出した状態で防水透湿シート１２が貼り付けられている。このような防水透湿シート１２としては、タイベック（商品名：デュポン社製）等がある。
この防水透湿シート１２を介して外壁パネル１の開口部１１に建具枠２が固定されている。建具枠２は、開口部１１に固定されたサッシ枠２０と、サッシ枠２０に固定され、このサッシ枠２０を屋外側から覆ったケーシング２１とから構成されている。これらサッシ枠２０及びケーシング２１はアルミ製のものである。サッシ枠２０は、屋外側からケーシング２１によって覆われ、化粧された状態となっている。
【００２１】
タイルパネル３は、防水透湿シート１２及び胴縁３０を介して外壁パネル１の表面に固定されている。タイルパネル３は、側端部に設けられた上実３１と下実（図示せず）との実継ぎによって左右に接続されるものであり、本実施の形態においては建具枠２側に上実３１が突出している。この上実３１の裏面には、目地シール材４との当接部を閉塞するための断面視略矩形状の閉塞部材３１ａが設けられている。
【００２２】
目地シール材４は可撓性を有する硬質樹脂などから形成されている。この目地シール材４は、図２、図３に示すように、目地溝Ｍの底面、即ち外壁パネル１の表面に固定されるシール材本体４０と、このシール材本体４０の上面を覆うカバー材４１とからなる。
【００２３】
シール材本体４０は、図２及び図４に示すように、外壁パネル１の表面に当接した底部４５と、建具枠２側及び外装材３側の側板４２，４３と、これら側板４２，４３を連結する連結板４４等とを備えている。
【００２４】
底部４５は、側板４２よりもタイルパネル３側に設けられた固定部４５０において防水テープ１３を介して外壁パネル１の表面に当接して固定されている。また底部４５は、固定部４５０の建具枠２側の端部において鈍角に折曲されることによってこの端部よりも建具枠２側の部位で外壁パネル１から離間している。
防水テープ１３は、防水透湿シート１２と胴縁３０との間に貼り付けられている。固定部４５０と外壁パネル１との間から建具枠２側に延出した防水テープ１３の端部は、固定部４５０とサッシ枠２０との間で外壁パネル１の表面から離間して建具枠２まで延在し、サッシ枠２０とケーシング２１との間に貼り付けられている。目地シール材４の固定部４５０とサッシ枠２０との間に延在する部分の防水テープ（以下、中途部分１３０とする）は、弛緩した状態となっている。なお、本実施の形態においては、防水テープ１３としてブチルテープが用いられている。
【００２５】
側板４２，４３は、固定部から屋外側に突出して設けられ、互いに対向した状態となっている。これら側板４２，４３にはその厚さ方向、つまり左右方向に貫通した貫通孔部４２０，４３０が、互いに対向して設けられている。
側板４２は固定部４５０よりも建具枠２側に位置している。この側板４２の建具枠２側の面には防水テープ４２１が貼り付けられており、この防水テープ４２１は貫通孔部４２０を塞いだ状態となっている。側板４２は、この防水テープ４２１を介してケーシング２１の側面に当接した状態で固定されている。
【００２６】
側板４３のタイルパネル３側の面には、突出部４３１が貫通孔部４３０よりも屋外側に設けられるとともに、突出部４３２が貫通孔部４３０よりも外壁パネル１側に設けられている。これら突出部４３１，４３２のそれぞれの先端部は、軟質合成樹脂から形成されている。
突出部４３１は、タイルパネル３に設けられた閉塞部材３１ａの側面、つまり建具枠２側の面に当接し、シール材本体４０とタイルパネル３の上実３１との間を閉塞している。
【００２７】
突出部４３２は、タイルパネル３に設けられた閉塞部材３１ａの裏面、つまり外壁パネル１側の面に当接し、シール材本体４０とタイルパネル３の上実３１との間を閉塞している。この突出部４３２は、側板４３からタイルパネル３の裏面に沿って突出する基部４３２ａと、この基部４３２ａから屋外側に突出して閉塞部材３１ａの裏面に当接する当接部４３２ｂ，４３２ｃとから断面視略逆Ｆ字状に形成されている。なお、突出部４３２の基部４３２ａには溝４３２ｄが形成されており、突出部４３２は、この溝４３２ｄの位置で折り取られることによってシール材本体４０から取り外し可能とされている。
【００２８】
連結板４４は、外壁パネル１と平行な板状の部材であり、側板４２，４３とで断面視略コ字状の凹部４６を形成している。このシール材本体４０の凹部４６内と、突出部４３１，４３２、側板４３及びタイルパネル３の閉塞部材３１ａで囲まれる空間とには、所定の流動性および粘性を有するシーリング材４７が充填され、目地溝Ｍをシールした状態となっている。このシーリング材４７は非硬化型シリコンからなるものである。
【００２９】
カバー材４１は、図２、図３に示すように、シール材本体４０の凹部４６内に屋外側から押入された芯部４１０と、シール材本体４０を屋外側から覆った蓋部４１１とから断面視略Ｔ字状に形成されている。
【００３０】
芯部４１０は、シール材本体４０の側板４２，４３の間に押入されることでこれら側板４２，４３の間を押し拡げ、突出部４３１をタイルパネル３の側端面に圧接させている。この芯部４１０には、図２及び図３に示すように、溝４１０ａ，４１０ｂが形成され、この溝４１０ａ，４１０ｂに側板４２，４３のツメ４２ｂ，４３ｂが係合することにより、カバー材４１がシール材本体４０に固定されるようになっている。この芯部４１０の先端側、つまり凹部４６の底部側には、芯部４１０が押入される前に凹部４６の内部からシーリング材４７が流出するのを防止するための蓋４８が配設されている。この蓋４８は、塩化ビニル等の樹脂製であり、カバー材４１の芯部４１０が押入される前には、図３及び図４に示すように、蓋４８の側面の溝４８ａ，４８ｂに側板４２，４３のツメ４２ｂ，４３ｂが係合することによりシール材本体４０の凹部４６を塞ぎ、シーリング材４７を封止した状態となっている。蓋４８の外壁パネル１側の端部は、シーリング材４７を貫通孔部４３０側に押し出すようテーパー状に形成されている。この蓋４８はカバー材４１の芯部４１０によって凹部４６の底部に向かって押し込まれるようになっている。
【００３１】
蓋部４１１は、軟質合成樹脂から形成されており、芯部４１０が側板４２，４３の間に押入された際に、タイルパネル３の側端面と建具枠２の側面との間をさらに閉塞している。
【００３２】
次に、以上のような目地シール構造を形成する手順について説明する。
まず、開口部１１にサッシ枠２０を固定し、防水テープ１３を介して外壁パネル１の表面に胴縁３０を固定する。また、防水テープ１３の建具枠２側の端部をサッシ枠２０の表面に延出させて貼り付けた後、サッシ枠２０にケーシング２１を固定する。
【００３３】
次に、防水テープ４２１を介して目地シール材４の側板４２をケーシング２１に固定するとともに、防水透湿シート１２及び防水テープ１３を介して固定部４５０を外壁パネル１に固定する。
次に、防水透湿シート１２、防水テープ１３及び胴縁３０を介してタイルパネル３を外壁パネル１に固定する。このとき、シール材本体４０の突出部４３２がこのタイルパネル３の閉塞部材３１ａの裏面に当接し、かつ突出部４３１がこの閉塞部材３１ａの側面に当接するようにする。
【００３４】
そして、図３に示すように、シール材本体４０の凹部４６を塞いで配設された蓋４８を凹部４６の内部に押し込みつつカバー材４１の芯部４１０をシール材本体４０の側板４２，４３の間に押入する。これにより、シール材本体４０の側板４２，４３の間が押し拡げられて、突出部４３１がタイルパネル３の側端面に圧接される。また、凹部４６内に充填されたシーリング材４７が、蓋４８の外壁パネル１側の端部によって貫通孔部４３０の側に押し出されて突出部４３２と突出部４３１とタイルパネル３とにより囲まれる空間に圧出され、このシール材本体４０とタイルパネル３との間がさらに密閉される。
【００３５】
以上のように形成された目地シール構造によれば、目地シール材４の底部４５は固定部４５０において防水テープ１３を介して側板４２よりも外装材３側で壁体１に固定されるとともにこの固定部４５０よりも建具枠２側の部位において壁体１から離間しているので、防水テープ１３の中途部分１３０を緊張させて設けた場合であっても、防水テープ１３の中途部分１３０が底部４５によって干渉され難くなっている。従って、底部４５と外壁パネル１との間の部分の防水テープ１３が防水テープ１３の中途部分１３０により引っ張られて外壁パネル１の表面から離間した場合であっても、底部４５が外壁パネル１の表面から引き離され、目地シール材４がタイルパネル３側に傾いて側板４２がケーシング２１から離間してしまうことが防がれるため、目地シール材４によって目地溝Ｍを確実にシールすることができる。また、目地溝Ｍをシールするにあたり防水テープ１３を外壁パネル１の表面とサッシ枠２０の表面とに設けた後に目地シール材４を外壁パネル１の表面に設ける際に、従来と異なり目地シール材１０７の固定片１０８における建具枠２の側の端部によって防水テープ１０４を切断してしまうことを防止することができる。
このように、防水テープ１３の中途部分１３０を緊張させて設けた場合であっても、目地シール材４をタイルパネル３側に傾けたり防水テープ１３を切断したりすることなく目地シール材４を固定することができるため、防水テープ１３の使用量を抑えて低コストで目地溝Ｍをシールできるとともに、防水テープ１３を設ける作業や目地シール材４を固定する作業に手間をかけることなく、容易かつ確実に目地溝Ｍをシールすることができる。
【００３６】
また、目地シール材４は、外壁パネル１に固定された固定部４５０と、ケーシング２１に固定された側板４２とによって目地溝Ｍに確実に固定された状態となっている。従って、底部４５における固定部４５０と隣接した建具枠２の側の部位が外壁パネル１から離間していることに関わらず目地シール材４を目地溝Ｍに確実に固定することができるため、目地シール材４によって目地溝Ｍを確実にシールすることができる。つまり、固定部４５０を外壁パネル１に固定するとともに側板４２をケーシング２１に固定することにより、目地シール材４が目地溝Ｍに確実に固定された状態となる。従って、このように目地シール材４を目地溝Ｍに固定することにより、目地溝Ｍを確実にシールすることができる。
【００３７】
また、底部４５は固定部４５０の建具枠２側の端部で鈍角に折曲されることによりこの端部よりも建具枠２側の部位で壁体１から離間しているので、防水テープ１３の中途部分１３０を緊張させて設けた場合であっても、目地溝Ｍをシールするにあたり防水テープ１３を外壁パネル１の表面とサッシ枠２０の表面とに設けた後に目地シール材４を外壁パネル１の表面に設ける際に、目地シール材４の底部４５によって防水テープ１３を切断してしまうことを確実に防止することができる。
【００３８】
また、防水テープ１３の中途部分１３０は目地シール材４の固定部４５０とサッシ枠２０との間で弛緩しているので、底部４５と外壁パネル１との間の部分の防水テープ１３が防水テープ１３の中途部分１３０により引っ張られることがない。従って、防水テープ１３によって底部４５が外壁パネル１の表面から引き離され、目地シール材４がタイルパネル３側に傾いて側板４２がケーシング２１から離間してしまうことがないため、目地溝Ｍを確実にシールすることができる。
【００３９】
更に、目地シール材４の突出部４３１，４３２と側板４３とタイルパネル３とによって囲まれる空間にシーリング材４７が充填されるため、目地溝Ｍをより確実にシールすることができる。
【００４０】
なお、上記実施の形態においては、建具枠２の側に上実３１が突出したタイルパネル３と建具枠２との間の目地溝Ｍを目地シール材４によってシールすることとして説明したが、これに限らず、建具枠２の側の側端面が平坦に形成されたタイルパネル３と建具枠２との間の目地溝をシールすることとしても良い。このような場合には、目地シール材４の突出部４３２をシール材本体４０から折り取ることによって目地シール材４とタイルパネルとの間を閉塞した状態にすることができる。
【００４１】
【発明の効果】
請求項１記載の発明によれば、防水テープの中途部分を緊張させて設けた場合であっても、目地シール材を外装材側に傾けたり防水テープを切断したりすることなく目地シール材を固定することができるため、防水テープの使用量を抑えて低コストで目地溝をシールできるとともに、防水テープを設ける作業や目地シール材を固定する作業に手間をかけることなく、容易かつ確実に目地溝をシールすることができる。
【００４２】
請求項２記載の発明によれば、請求項１記載の発明と同様の効果が得られるのは勿論のこと、目地シール材を目地溝に固定することにより、目地溝を確実にシールすることができる。
【００４３】
請求項３記載の発明によれば、請求項１または２記載の発明と同様の効果が得られるのは勿論のこと、防水テープの中途部分を緊張させて設けた場合であっても、目地溝をシールするにあたり防水テープを壁体の表面と第一建具枠の表面とに設けた後に目地シール材を壁体の表面に設ける際に、目地シール材の底部によって防水テープを切断してしまうことを確実に防止することができる。
【００４４】
請求項４記載の発明によれば、請求項１〜３の何れか一項に記載の発明と同様の効果が得られるのは勿論のこと、防水テープによって底部が壁体の表面から引き離され、目地シール材が外装材側に傾いて前記他方の側部が第二建具枠から離間してしまうことがないため、目地溝を確実にシールすることができる。
【００４５】
請求項５記載の発明によれば、請求項１〜４の何れか一項に記載の発明と同様の効果が得られるのは勿論のこと、目地シール材の当接部と前記一方の側部と外装材とによって囲まれる空間にシーリング材が充填されるため、目地溝をより確実にシールすることができる。
【図面の簡単な説明】
【図１】本発明に係る目地シール構造が適用された外壁パネルを示す斜視図である。
【図２】本発明に係る目地シール構造を示す断面図である。
【図３】本発明に係る目地シール構造を形成する手順を示す図である。
【図４】シール材本体の断面図である。
【図５】従来の目地シール構造を示す断面図である。
【符号の説明】
１  外壁パネル（壁体）
２  建具枠
３  タイルパネル（外装材）
４  目地シール材
１３  防水テープ
２０  サッシ枠（第一建具枠）
２１  ケーシング（第二建具枠）
４５  目地シール材の底部
４７  シーリング材
４３１，４３２  突出部（当接部）
４５０  固定部
Ｍ  目地溝
【図１】
2004169359.tif 000003
【図２】
2004169359.tif 000004
【図３】
2004169359.tif 000005
【図４】
2004169359.tif 000006
【図５】
2004169359.tif 000007